(57)【特許請求の範囲】
【請求項１】
表示部と、
ネットワークを介して通信するネットワーク通信部と、
前記ネットワーク通信部が前記ネットワークを介して外部装置から受信した所定の指示に基づいて画像処理を行う画像処理部と、
前記ネットワークに接続されている画像処理装置を検索するために送信された所定の検索要求を前記ネットワーク通信部が受信した場合に、自装置の識別情報を前記表示部に表示させる制御部と、
を有し、
前記制御部は、前記表示部に前記識別情報の表示を開始させてから所定の設定時間の経過後に前記識別情報の表示を終了させると共に、前記識別情報の表示中に前記ネットワーク通信部が新たな前記検索要求を受信した場合は、前記設定時間の計時をやり直す
ことを特徴とする画像処理装置。
【請求項２】
表示部と、
ネットワークを介して通信するネットワーク通信部と、
前記ネットワーク通信部が前記ネットワークを介して外部装置から受信した所定の指示に基づいて画像処理を行う画像処理部と、
前記ネットワークに接続されている画像処理装置を検索するために送信された所定の検索要求を前記ネットワーク通信部が受信した場合に、自装置の識別情報を前記表示部に表示させる制御部と、
前記検索要求の送信元が所定の条件を満たしているか否かを判断する条件判断部を有し、
前記制御部は、前記検索要求の送信元が所定の条件を満たしているか否かに応じて、前記識別情報の表示形態を変更する
ことを特徴とする画像処理装置。
【請求項３】
前記所定の条件は、前記検索要求の送信元が無線ＬＡＮの特定のアクセスポイントに接続されていることである
ことを特徴とする請求項２に記載の画像処理装置。
【請求項４】
表示部と、
ネットワークを介して通信するネットワーク通信部と、
前記ネットワーク通信部が前記ネットワークを介して外部装置から受信した所定の指示に基づいて画像処理を行う画像処理部と、
前記ネットワークに接続されている画像処理装置を検索するために送信された所定の検索要求を前記ネットワーク通信部が受信した場合に、自装置の識別情報を前記表示部に表示させる制御部と、
ユーザから操作を受ける操作部と、
を有し、
前記制御部は、前記検索要求を受ける前の所定時間内に、前記操作部にて操作を受けているか否かに応じて、前記識別情報の表示形態を変更する
ことを特徴とする画像処理装置。
【請求項５】
表示部と、
ネットワークを介して通信するネットワーク通信部と、
前記ネットワーク通信部が前記ネットワークを介して外部装置から受信した所定の指示に基づいて画像処理を行う画像処理部と、
前記ネットワークに接続されている画像処理装置を検索するために送信された所定の検索要求を前記ネットワーク通信部が受信した場合に、自装置の識別情報を前記表示部に表示させる制御部と、
を有し、
前記制御部は、前記ネットワーク通信部が前記検索要求を受信した場合に、前記ネットワーク通信部に、前記識別情報を含む所定の検索応答を、前記検索要求の送信元に対して送信させると共に、前記画像処理部が機能の制限された状態にある場合は、それを示す情報を前記検索応答に含める
ことを特徴とする画像処理装置。
【請求項６】
前記制御部は、前記ネットワーク通信部が前記検索要求を受信した場合に、前記ネットワーク通信部に、前記識別情報を含む所定の検索応答を、前記検索要求の送信元に対して送信させる
ことを特徴とする請求項１乃至４のいずれか１つに記載の画像処理装置。
【請求項７】
前記制御部は、前記表示部に前記識別情報の表示を開始させてから所定の設定時間の経過後に前記識別情報の表示を終了させる
ことを特徴とする請求項２乃至５のいずれか１つに記載の画像処理装置。
【請求項８】
前記制御部は、前記画像処理部が機能の制限された状態にあるか否かに応じて、前記識別情報の表示形態を変更する
ことを特徴とする請求項１乃至７のいずれか１つに記載の画像処理装置。
【請求項９】
表示部と、ネットワークを介して通信するネットワーク通信部とを有する情報処理装置を、
請求項１乃至８のいずれか１つに記載の画像処理装置
として機能させる
ことを特徴とするプログラム。
【請求項１０】
表示部と、
ネットワークを介して通信するネットワーク通信部と、
前記ネットワーク通信部が受信した所定の指示に基づいて画像処理を行う画像処理部を備える複数の画像処理装置に接続可能な情報処理装置に、
外部装置から送信された、前記ネットワークに接続されている画像処理装置を検索するために送信された所定の検索要求を受信し、
前記検索要求を受信した場合に、前記複数の画像処理装置のそれぞれについて、当該画像処理装置と前記外部装置との通信を確立する操作のために使用される前記画像処理装置の識別情報を前記画像処理装置の前記表示部に表示させる制御を実行させる
ことを特徴とするプログラム。
【請求項１１】
前記検索要求を受信した場合に、前記識別情報を含む所定の検索応答を前記画像処理装置から受信し、受信した当該識別情報を、前記検索要求を送信した前記外部装置に対して送信する制御を更に実行させる
ことを特徴とする請求項１０に記載のプログラム。
【請求項１２】
前記表示部に前記識別情報の表示を開始させてから所定の設定時間の経過後に前記識別情報の表示を終了させる制御を更に実行させる
ことを特徴とする請求項１０または１１に記載のプログラム。
【請求項１３】
前記識別情報の表示中に前記ネットワーク通信部が新たな前記検索要求を受信した場合は、前記設定時間の計時をやり直す
ことを特徴とする請求項１２に記載のプログラム。
【請求項１４】
前記検索要求の送信元が所定の条件を満たしているか否かを判断し、
前記検索要求の送信元が所定の条件を満たしているか否かに応じて、前記識別情報の表示形態を変更させる制御を更に実行させる
ことを特徴とする請求項１０乃至１３のいずれか１つに記載のプログラム。
【請求項１５】
前記所定の条件は、前記検索要求の送信元が無線ＬＡＮの特定のアクセスポイントに接続されていることである
ことを特徴とする請求項１４に記載のプログラム。
【請求項１６】
前記画像処理装置は、ユーザから操作を受ける操作部をさらに備え、
前記検索要求を受ける前の所定時間内に、前記操作部にて操作を受けているか否かに応じて、前記識別情報の表示形態を変更させる制御を更に実行させる
ことを特徴とする請求項１０乃至１５のいずれか１つに記載のプログラム。
【請求項１７】
前記画像処理部が機能の制限された状態にあるか否かに応じて、前記識別情報の表示形態を変更させる制御を更に実行させる
ことを特徴とする請求項１０乃至１６のいずれか１つに記載のプログラム。
【請求項１８】
前記画像処理部が機能の制限された状態にある場合は、それを示す情報を前記検索応答に含ませる制御、および該情報を前記検索要求を送信した前記外部装置に対して送信する制御を更に実行させる
ことを特徴とする請求項１１、または請求項１１を引用する請求項１２乃至１７のいずれか１つに記載のプログラム。
【発明の詳細な説明】
【技術分野】
【０００１】
本発明は、携帯端末と通信を確立する画像処理装置およびそのプログラム、携帯端末と画像処理装置間での通信確立を補助する情報処理装置のプログラムに関する。
【背景技術】
【０００２】
近年、プリンタやスキャナ、ファクシミリ等の機能を備える複合機（ＭＦＰ（Multi Function Peripheral））は、スマートフォンやタブレットなどの携帯端末から送信された印刷指示に従って印刷を行うことが可能となっている。
【０００３】
一般に携帯端末からＭＦＰに印刷指示を送信する場合、まず、携帯端末にて周囲の通信可能なＭＦＰを検索し、その検索結果として通信可能なＭＦＰの名前やＩＰ（Internet Protocol）アドレスなどのリストが携帯端末に表示される。ユーザは、その検索結果として表示された１または複数のＭＦＰのリストの中から、印刷指示の送信先となるＭＦＰを選択する。オフィスなど、複数台のＭＦＰを設置している場所では、前述した検索結果のリストに、複数のＭＦＰ（名前やＩＰアドレス）が表示される。
【０００４】
しかし、ユーザが前述の検索結果のリストからＭＦＰを選択する際に、所望するＭＦＰの名前が分からない場合がある。このような場合、ユーザは、設置されているＭＦＰと携帯端末に表示されているＭＦＰ名の対応付けができず、検索結果のリストからいずれのＭＦＰを選択すればよいかわからなくなる。
【０００５】
特許文献１には、ユーザがＭＦＰにて所定のボタン押下を行うと、一定時間ＭＦＰの名前を所定の名前に変更する方法が開示されている。これによれば、携帯端末が周囲の通信可能なＭＦＰを検索した場合に、検索結果として、所定のボタン押下を行ったＭＦＰについては変更後の名前（所定の名前）が表示されるので、たとえば、所定の名前を、ユーザが判別可能な名前に設定しておけば、ユーザは、検索結果のリストの中から、所定のボタン押下を行ったＭＦＰの名前を容易に見つけ出すことができる。
【先行技術文献】
【特許文献】
【０００６】
【特許文献１】特開２０１４−３２６２６号公報
【発明の概要】
【発明が解決しようとする課題】
【０００７】
しかし、特許文献１に記載の方法では、名前を一時的に変更する上記の機能を利用するためには、ユーザが所望のＭＦＰにおいて所定のボタンを押下する操作を行う必要がある。そのため、ユーザが所望のＭＦＰに対して上記の操作を行うことができなければ、該ＭＦＰの名前を一時的に変更する機能を利用できない。たとえば、ユーザがＭＦＰの操作方法を把握していない場合や、ＭＦＰがパスワードの入力を受けた後でなければ操作を受け付けない仕様であって、ユーザが該パスワードを知らない場合などは、ユーザは名前を一時的に変更する機能を利用して所望のＭＦＰを携帯端末から選択することはできない。
【０００８】
また、ＭＦＰの操作が可能であったとしても、ユーザが複数のＭＦＰのうちいずれを使用すべきかを決めかねており、とりあえず各ＭＦＰと検索結果のリストに表示されたＭＦＰの名前の対応関係を把握したい場合には、複数のＭＦＰのそれぞれにおいて名前を一時的に変更するための操作を行わなければならず、手間がかかる。これらの問題は、ＭＦＰに限らず、プリンタなど画像形成部を備える画像形成装置全般に共通するものである。
【０００９】
本発明は、上記の問題を解決しようとするものであり、ネットワークに接続されている画像処理装置を検索するために送信された検索要求を受信した場合に、ユーザが実物の画像処理装置と識別情報の対応付けを行うことができる画像処理装置およびそのプログラム、情報処理装置のプログラムを提供することを目的としている。
【課題を解決するための手段】
【００１０】
かかる目的を達成するための本発明の要旨とするところは、次の各項の発明に存する。
【００１５】
上記［６］および下記［１１］に係る発明では、検索要求の送信元に対して検索応答が返答される。これにより、外部装置にて、ネットワークに接続されている画像処理装置の情報を取得することができる。たとえば、外部装置にて検索応答を返答した画像形成装置の識別情報をリストで表示し、該リストからユーザが選択した識別情報の画像処理装置と通信を確立する、といった手段で通信を確立する場合に、ユーザはその外部装置で表示した識別情報と、実物の画像処理装置に表示された識別情報を対比することで、実物の画像処理装置とリスト上の識別情報の対応関係を把握することができる。
［７］前記制御部は、前記表示部に前記識別情報の表示を開始させてから所定の設定時間の経過後に前記識別情報の表示を終了させる
ことを特徴とする［２］乃至［５］のいずれか１つに記載の画像処理装置。
上記［７］および下記［１２］に係る発明では、識別情報の表示を開始させてから所定の設定時間の経過後に該識別情報の表示を終了させる。一定時間だけ識別情報の表示を行うので、常に識別情報を表示する場合に比べて、表示スペースを圧迫せず、消費電力を抑制することができる。
［８］前記制御部は、前記画像処理部が機能の制限された状態にあるか否かに応じて、前記識別情報の表示形態を変更する
ことを特徴とする［１］乃至［７］のいずれか１つに記載の画像処理装置。
上記［８］および下記［１７］に係る発明では、画像処理部が機能の制限された状態にある場合は、自装置と外部装置が通信を確立しても、外部装置の指示による画像処理を実行不可能な可能性があるので、識別情報の表示形態を変更することで、自装置と通信を確立することを非推奨とすることができる。たとえば、識別表示を非表示にしたり、制限内容と識別情報を併せて表示したりする。
【００１８】
［１］表示部と、
ネットワークを介して通信するネットワーク通信部と、
前記ネットワーク通信部が前記ネットワークを介して外部装置から受信した所定の指示に基づいて画像処理を行う画像処理部と、
前記ネットワークに接続されている画像処理装置を検索するために送信された所定の検索要求を前記ネットワーク通信部が受信した場合に、自装置の識別情報を前記表示部に表示させる制御部と、
を有し、
前記制御部は、前記表示部に前記識別情報の表示を開始させてから所定の設定時間の経過後に前記識別情報の表示を終了させると共に、前記識別情報の表示中に前記ネットワーク通信部が新たな前記検索要求を受信した場合は、前記設定時間の計時をやり直す
ことを特徴とする画像処理装置。。
【００１９】
上記［１］および下記［１３］に係る発明では、画像処理装置が、ネットワークに接続されている画像処理装置を検索するために送信された所定の検索要求を受けた場合に、自装置と通信を確立するために使用される自装置の識別情報を表示部に表示する。これにより、ユーザは、実物の画像処理装置と識別情報の対応関係を把握することができる。
また、該識別情報を参照して、画像形成装置と外部装置にて通信を確立させることができる。たとえば、検索要求を受けた場合に画像処理装置が表示部に自装置のＩＰアドレスを表示し、ユーザがこれを参照して、外部装置にて手入力で通信先を設定することで該画像処理装置と通信を確立する。
さらに識別情報の表示中に新たな検索要求を受信した場合は、それまで計測した識別情報の表示を開始してからの経過時間をリセットし、経過時間の計測をやり直す。
【００２０】
［２］表示部と、
ネットワークを介して通信するネットワーク通信部と、
前記ネットワーク通信部が前記ネットワークを介して外部装置から受信した所定の指示に基づいて画像処理を行う画像処理部と、
前記ネットワークに接続されている画像処理装置を検索するために送信された所定の検索要求を前記ネットワーク通信部が受信した場合に、自装置の識別情報を前記表示部に表示させる制御部と、
前記検索要求の送信元が所定の条件を満たしているか否かを判断する条件判断部を有し、
前記制御部は、前記検索要求の送信元が所定の条件を満たしているか否かに応じて、前記識別情報の表示形態を変更する
ことを特徴とする画像処理装置
【００２１】
上記［２］および下記［１４］に係る発明では、検索要求の送信元が所定の条件を満たしているか否かに応じて、識別情報の表示形態を変更する。たとえば、検索要求の送信元の外部装置を特定のユーザが使用していることを所定の条件とする。表示形態は、たとえば、通常表示、非表示の他に、グレー表示や装飾を付した表示、縮小表示、画面端での表示などがある。
【００２２】
［３］前記所定の条件は、前記検索要求の送信元が無線ＬＡＮの特定のアクセスポイントに接続されていることである
ことを特徴とする［２］に記載の画像処理装置。
【００２３】
上記［３］および下記［１５］に係る発明では、検索要求の送信元が無線ＬＡＮの特定のアクセスポイントに接続されていることを所定の条件とする。たとえば、画像形成装置と同じ部屋に配置されているアクセスポイントや、特定ユーザしか使用できないアクセスポイントなどを特定のアクセスポイントの一例とする。
【００２４】
［４］表示部と、
ネットワークを介して通信するネットワーク通信部と、
前記ネットワーク通信部が前記ネットワークを介して外部装置から受信した所定の指示に基づいて画像処理を行う画像処理部と、
前記ネットワークに接続されている画像処理装置を検索するために送信された所定の検索要求を前記ネットワーク通信部が受信した場合に、自装置の識別情報を前記表示部に表示させる制御部と、
ユーザから操作を受ける操作部と、
を有し、
前記制御部は、前記検索要求を受ける前の所定時間内に、前記操作部にて操作を受けているか否かに応じて、前記識別情報の表示形態を変更する
ことを特徴とする画像処理装置
【００２５】
上記［４］および下記［１６］に係る発明では、検索要求を受ける前の所定時間内に、操作部にて操作を受けている場合は、自装置が使用中である可能性が高いので、自装置を使用するユーザの操作を妨げないよう、たとえば、識別情報を非表示にしたり、画面端に縮小表示したりする。
【００２８】
［５］表示部と、
ネットワークを介して通信するネットワーク通信部と、
前記ネットワーク通信部が前記ネットワークを介して外部装置から受信した所定の指示に基づいて画像処理を行う画像処理部と、
前記ネットワークに接続されている画像処理装置を検索するために送信された所定の検索要求を前記ネットワーク通信部が受信した場合に、自装置の識別情報を前記表示部に表示させる制御部と、
を有し、
前記制御部は、前記ネットワーク通信部が前記検索要求を受信した場合に、前記ネットワーク通信部に、前記識別情報を含む所定の検索応答を、前記検索要求の送信元に対して送信させると共に、前記画像処理部が機能の制限された状態にある場合は、それを示す情報を前記検索応答に含める
ことを特徴とする画像処理装置。
【００２９】
上記［５］および下記［１８］に係る発明では、画像処理部が機能の制限された状態にある場合は、それを示す情報を検索応答に含める。これにより、外部装置にて、ネットワークに接続されている画像処理装置の情報、および各画像処理装置の画像処理部が機能の制限された状態であるか否かを把握することができる。
［６］前記制御部は、前記ネットワーク通信部が前記検索要求を受信した場合に、前記ネットワーク通信部に、前記識別情報を含む所定の検索応答を、前記検索要求の送信元に対して送信させる
ことを特徴とする［１］乃至［４］のいずれか１つに記載の画像処理装置。
【００３０】
［９］表示部と、ネットワークを介して通信するネットワーク通信部とを有する情報処理装置を、
［１］乃至［８］のいずれか１つに記載の画像処理装置
として機能させる
ことを特徴とするプログラム。
【００３１】
［１０］表示部と、
ネットワークを介して通信するネットワーク通信部と、
前記ネットワーク通信部が受信した所定の指示に基づいて画像処理を行う画像処理部を備える複数の画像処理装置に接続可能な情報処理装置に、
外部装置から送信された、前記ネットワークに接続されている画像処理装置を検索するために送信された所定の検索要求を受信し、
前記検索要求を受信した場合に、前記複数の画像処理装置のそれぞれについて、当該画像処理装置と前記外部装置との通信を確立する操作のために使用される前記画像処理装置の識別情報を前記画像処理装置の前記表示部に表示させる制御を実行させる
ことを特徴とするプログラム。
【００３２】
［１１］前記検索要求を受信した場合に、前記識別情報を含む所定の検索応答を前記画像処理装置から受信し、受信した当該識別情報を、前記検索要求を送信した前記外部装置に対して送信する制御を更に実行させる
ことを特徴とする［１０］に記載のプログラム。
【００３３】
［１２］前記表示部に前記識別情報の表示を開始させてから所定の設定時間の経過後に前記識別情報の表示を終了させる制御を更に実行させる
ことを特徴とする［１０］または［１１］に記載のプログラム。
【００３４】
［１３］前記識別情報の表示中に前記ネットワーク通信部が新たな前記検索要求を受信した場合は、前記設定時間の計時をやり直す
ことを特徴とする［１２］に記載のプログラム。
【００３５】
［１４］前記検索要求の送信元が所定の条件を満たしているか否かを判断し、
前記検索要求の送信元が所定の条件を満たしているか否かに応じて、前記識別情報の表示形態を変更させる制御を更に実行させる
ことを特徴とする［１０］乃至［１３］のいずれか１つに記載のプログラム。
【００３６】
［１５］前記所定の条件は、前記検索要求の送信元が無線ＬＡＮの特定のアクセスポイントに接続されていることである
ことを特徴とする［１４］に記載のプログラム。
【００３７】
［１６］前記画像処理装置は、ユーザから操作を受ける操作部をさらに備え、
前記検索要求を受ける前の所定時間内に、前記操作部にて操作を受けているか否かに応じて、前記識別情報の表示形態を変更させる制御を更に実行させる
ことを特徴とする［１０］乃至［１５］のいずれか１つに記載のプログラム。
【００３８】
［１７］前記画像処理部が機能の制限された状態にあるか否かに応じて、前記識別情報の表示形態を変更させる制御を更に実行させる
ことを特徴とする［１０］乃至［１６］のいずれか１つに記載のプログラム。
【００３９】
［１８］前記画像処理部が機能の制限された状態にある場合は、それを示す情報を前記検索応答に含ませる制御、および該情報を前記検索要求を送信した前記外部装置に対して送信する制御を更に実行させる
ことを特徴とする［１１］、または［１１］を引用する［１２］乃至［１７］のいずれか１つに記載のプログラム。
【００４０】
【発明の効果】
【００４１】
本発明に係る画像処理装置およびそのプログラム、情報処理装置のプログラムによれば、所定のネットワークに接続されている画像処理装置を検索するために送信された所定の検索要求を受信した場合に、ユーザが実物の画像処理装置と識別情報の対応付けを行うことができる。
【図面の簡単な説明】
【００４２】
【図１】本発明の実施の形態に係る印刷システムを示す説明図である。
【図２】本発明の実施の形態に係る画像形成装置の概略構成を示すブロック図である。
【図３】本発明の実施の形態に係る携帯端末の概略構成を示すブロック図である。
【図４】本発明の実施の形態において画像形成装置と携帯端末が表示する内容の一例を示す図である。
【図５】本発明の実施の形態において画像形成装置が必要とする機能構成を示すブロック図である。
【図６】画像形成装置が検索要求を受けた場合に行う処理を示す流れ図である。
【図７】変形例１において画像形成装置と携帯端末が表示する内容の一例を示す図である。
【図８】変形例１において画像形成装置が必要とする機能構成を示すブロック図である。
【図９】変形例１において画像形成装置が検索要求を受けた場合に行う処理を示す流れ図である。
【図１０】変形例２において画像形成装置と携帯端末が表示する内容の一例を示す図である。
【図１１】変形例２において画像形成装置が必要とする機能構成を示すブロック図である。
【図１２】変形例２において画像形成装置が検索要求を受けた場合に行う処理を示す流れ図である。
【図１３】変形例３において画像形成装置と携帯端末が表示する内容の一例を示す図である。
【図１４】変形例３において画像形成装置が必要とする機能構成を示すブロック図である。
【図１５】変形例３において画像形成装置が検索要求を受けた場合に行う処理を示す流れ図である。
【図１６】本発明の実施の形態におけるサーバを含んで構成される場合の印刷システムを示す説明図である。
【発明を実施するための形態】
【００４３】
以下、図面に基づき本発明の実施の形態を説明する。
【００４４】
図１は、本発明の実施の形態に係る印刷システム７を示す。印刷システム７は、ＬＡＮ（Local Area Network）３などのネットワークを通じて、本発明の画像処理装置としての役割を果たす複数台の画像形成装置１０（１０Ａ、１０Ｂ、１０Ｃ）と、携帯端末４０とを通信可能に接続して構成される。以後、画像形成装置１０Ａ、１０Ｂ、１０Ｃを総称する、もしくは任意の１台を指す場合は、画像形成装置１０と記すものとする。
【００４５】
携帯端末４０は、持ち歩きが可能なタブレットなどの端末であり、表示部５１と操作部５２を含む操作表示部５０を備えている（図３参照）。携帯端末４０は、無線通信によってネットワークであるＬＡＮ３に接続する。本発明の実施の形態では、携帯端末４０は、アクセスポイント９０Ａ、もしくはアクセスポイント９０Ｂのいずれかを介してＬＡＮ３に接続するものとする。また、本発明の実施の形態では１台の携帯端末４０を使用する場合を例に説明するが、携帯端末４０は複数台あってもよい。
【００４６】
画像形成装置１０は、原稿を光学的に読み取ってその複製画像を記録紙に印刷するコピージョブ、読み取った原稿の画像データをファイルにして保存したり外部装置へ送信したりするスキャンジョブ、ＰＣから送出されたデータに係る画像を記録紙に印刷して出力するプリントジョブなどのジョブを実行する機能を備えた、所謂、複合機である。画像形成装置１０には、表示部３１と操作受付部３２を含み装置本体の操作を行う操作パネル３０が設置されており、たとえば、自装置の機器情報や設定操作を行うための画面を表示したり、ユーザからの設定操作を受けたりする。
【００４７】
印刷システム７では、携帯端末４０がＬＡＮ３を通じて画像形成装置１０に印刷ジョブやスキャンジョブなどのジョブを送信し、これを受けた画像形成装置１０は該ジョブを実行する。
【００４８】
次に、本発明の実施の形態に係る画像形成装置１０の構成について説明する。
【００４９】
図２は、本発明の実施の形態に係る画像形成装置１０の概略構成を示すブロック図である。画像形成装置１０は、当該画像形成装置１０の動作を統括的に制御する制御部１１と、ＭＦＰ機能部１２と、記憶部１３と、ネットワーク通信部２０と、操作パネル３０を備えている。
【００５０】
制御部１１は、ＣＰＵ（Central Processing Unit）やＲＯＭ（Read Only Memory）、ＲＡＭ（Random Access Memory）などで構成される。ＣＰＵは、ＯＳ（Operating System）プログラムをベースとし、その上で、ミドルウェアやアプリケーションプログラムなどを実行する。
【００５１】
ＲＯＭには、各種のプログラムが格納されており、これらのプログラムに従ってＣＰＵが各種処理を実行することで画像形成装置１０の各機能が実現される。また、ＲＯＭには、画像形成装置１０の一連の制御をＣＰＵが実行するためのプログラムが格納されている。
【００５２】
ＲＡＭは、ＣＰＵがプログラムに基づいて処理を実行する際に各種のデータを一時的に格納するワークメモリや画像データを格納する画像メモリなどとして使用される。
【００５３】
記憶部１３は、不揮発メモリ１４と、ハードディスク装置１５で構成される。不揮発メモリ１４は、電源をオフにしても記憶内容が破壊されないメモリ（フラッシュメモリ）であり、各種設定情報の保存などに使用される。ハードディスク装置１５は、大容量の不揮発の記憶装置であり、ＯＳプログラムや各種アプリケーションプログラム、印刷データや画像データ、ジョブに係る情報履歴などが保存される。
【００５４】
ＭＦＰ機能部１２は、画像データ処理部１６と画像読取部１７、プリンタ部１８と、ファクシミリ通信部１９で構成される。ＭＦＰ機能部１２は、本発明の画像処理部に該当する。
【００５５】
画像データ処理部１６は、画像の拡大縮小、回転などの処理のほか、印刷データをイメージデータに変換するラスタライズ処理、画像データの圧縮、伸張処理などを行う。
【００５６】
画像読取部１７は、原稿を光学的に読み取って画像データを取得する機能を果たす。画像読取部１７は、例えば、原稿に光を照射する光源と、その反射光を受けて原稿を幅方向に１ライン分読み取るラインイメージセンサと、ライン単位の読取位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００５７】
プリンタ部１８は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成は他の方式でもかまわない。
【００５８】
ファクシミリ通信部１９は、ファクシミリ機能を備えた外部装置と公衆回線を通じて画像データを送受信する機能を果たす。
【００５９】
ネットワーク通信部２０は、ＬＡＮ３などのネットワークを通じて携帯端末４０やその他の外部装置との間でデータを通信する機能を果たす。本実施の形態では、有線によってＬＡＮ３と接続されているものとするが、通信手段はこれらに限らず、無線通信であってもよい。
【００６０】
操作パネル３０は、表示部３１と、操作受付部３２とを備えている。このうち操作受付部３２は、スタートボタンなどのスイッチ部３３とタッチパネル部３４とを備えている。表示部３１は、液晶ディスプレイ（ＬＣＤ…Liquid Crystal Display）などで構成され、各種の操作画面、設定画面などを表示する機能を果たす。本実施の形態では、操作パネル３０が表示する表示内容の制御、操作パネル３０による操作の受け付けに関する制御は制御部１１内のＣＰＵが行う。
【００６１】
タッチパネル部３４は、表示部３１上に設けられている。タッチパネル部３４は、タッチペンや指などで押下された表示部３１上の座標位置や、フリック操作やドラッグ操作等を検出する。
【００６２】
図３は、携帯端末４０の概略構成を示すブロック図である。携帯端末４０は、当該携帯端末４０の動作を統括的に制御するＣＰＵ４１を有している。ＣＰＵ４１にはバスを通じてＲＯＭ４２と、ＲＡＭ４３と、不揮発メモリ４４と、ハードディスク装置４５と、ネットワーク通信部４６と、操作表示部５０とを備えている。
【００６３】
ＣＰＵ４１は、ＯＳプログラムをベースとし、その上で、ミドルウェアやアプリケーションプログラムなどを実行する。また、ＣＰＵ４１は、操作表示部５０の表示内容を制御する制御部としての機能を果たす。
【００６４】
ＲＯＭ４２には、各種のプログラムが格納されており、これらのプログラムに従ってＣＰＵ４１が各種処理を実行することで携帯端末４０の各機能が実現される。また、ＲＯＭ４２には、携帯端末４０の一連の制御をＣＰＵ４１が実行するためのプログラムや、ユーザ情報が格納されている。
【００６５】
ＲＡＭ４３は、ＣＰＵ４１がプログラムに基づいて処理を実行する際に各種のデータを一時的に格納するワークメモリや画像データを格納する画像メモリなどとして使用される。
【００６６】
不揮発メモリ４４は、電源をオフにしても記憶内容が破壊されないメモリ（フラッシュメモリ）であり、各種設定情報の保存などに使用される。ハードディスク装置４５は、大容量の不揮発の記憶装置であり、ＯＳプログラムや各種アプリケーションプログラムなどが保存される。画像形成装置１０と通信を確立するための専用のアプリケーションプログラムなども記憶される。
【００６７】
ネットワーク通信部４６は、ＬＡＮなどのネットワークを通じて画像形成装置１０やその他の外部装置との間でデータを通信する機能を果たす。本実施の形態では無線ＬＡＮによる無線通信を行うが、通信手段はこれらに限らない。
【００６８】
操作表示部５０は、表示部５１と、操作部５２とを備えている。このうち操作部５２は、スタートボタンなどのスイッチ部５３とタッチパネル部５４とを備えている。表示部５１は、液晶ディスプレイなどで構成され、各種の操作画面、設定画面などを表示する機能を果たす。
【００６９】
タッチパネル部５４は、表示部５１上に設けられている。タッチパネル部５４は、タッチペンや指などで押下された表示部５１上の座標位置や、フリック操作やドラッグ操作等を検出する。
【００７０】
傾きセンサ４７は、携帯端末４０の表示部５１の表示面が臨む向きを検出する。傾きの検出方法は、任意でよい。たとえば、傾きセンサ４７に備えられたジャイロセンサや電子コンパス等のセンサを使用して該検出を行う。携帯端末４０は、傾きセンサ４７で自装置の傾きを検出することにより、表示部５１の表示面が上向きか下向きかなどを認識する。
【００７１】
次に図４にて、印刷システム７全体での動作について説明する。携帯端末４０がジョブを送信する場合、まず、携帯端末４０と画像形成装置１０との間で通信を確立する必要がある。通信を確立する為には、携帯端末４０は通信相手となる画像形成装置１０のＩＰアドレスを指定しなければならない。そこで、携帯端末４０は、ネットワーク上（図中ではＬＡＮ３）の画像形成装置１０を検索するための検索要求をネットワーク上に送信（ブロードキャスト）し、該ネットワークに接続されている画像形成装置１０を検索する（Ｐ１）。
【００７２】
具体的には、まず、ユーザが、携帯端末４０にて画像形成装置１０と通信を確立する為の専用のアプリケーションを起動する。該アプリケーションが起動したら携帯端末４０は、自端末が接続しているネットワークを通じて、該ネットワークに接続されている画像形成装置１０を検索するための検索要求をブロードキャストする。
【００７３】
検索要求を受けたネットワーク（ＬＡＮ３）上の各画像形成装置１０は、自装置の名称（装置名）やＩＰアドレスなど自装置と通信を確立するために必要となる識別情報を含む検索応答を検索元の携帯端末４０へ送信する（Ｐ２）。また、本実施の形態に係る画像形成装置１０は、さらに、該識別情報を自装置の表示部３１に表示する（Ｐ３）。
【００７４】
各画像形成装置１０から検索応答を受信した携帯端末４０は、検索応答を送信してきた画像形成装置１０の識別情報（装置名やＩＰアドレスなど）をリストにして表示部５１に表示する（Ｐ４）。
【００７５】
ユーザは、画像形成装置１０の表示部３１に表示された識別情報と携帯端末４０の表示部５１にリスト表示された識別情報を見比べることで、表示部５１にリスト表示された識別情報と、実物の画像形成装置１０との対応関係を認識する。たとえば、表示されたリストの中でどの識別情報が自分の前にある画像形成装置１０に対応するかを認識する。
【００７６】
その後、ユーザが、検索結果のリストに表示された複数の識別情報（画像形成装置１０Ａ、１０Ｂ、１０Ｃの識別情報）の中からいずれかの識別情報を選択すると、携帯端末４０は、その選択された識別情報に対応する画像形成装置１０と通信を確立して、ジョブを送信する。
【００７７】
このように、本実施の形態に係る印刷システム７では、画像形成装置１０の表示部３１に表示された識別情報と携帯端末４０の表示部５１に表示された識別情報を見比べることで、携帯端末４０の表示部５１にリスト表示された複数の識別情報の中から、所望する実物の画像形成装置１０に対応する識別情報を選択することができる。つまり、画像形成装置１０の表示部３１に表示された識別情報は、ユーザが画像形成装置１０と携帯端末４０との間の通信を確立するための操作に使用される。
【００７８】
図４では、検索要求を受けた画像形成装置１０Ａ、画像形成装置１０Ｂ、画像形成装置１０Ｃの３台が自装置の識別情報を表示している。また、その３台が返答した検索応答を受信した携帯端末４０は、それらの識別情報を表示している。なお、本発明の実施の形態では、識別情報として装置名を採用するものとし、画像形成装置１０Ａの装置名をＭＦＰ１、画像形成装置１０Ｂの装置名をＭＦＰ２、画像形成装置１０Ｃの装置名をＭＦＰ３とする。識別情報は装置名以外のもの、たとえばＩＰアドレス、を採用してもよいが、画像形成装置１０と携帯端末４０が表示する識別情報は、対応関係を認識できるように、同種のものとする。
【００７９】
また、画像形成装置１０は、識別情報の表示を開始して所定の設定時間が経過したら、該識別情報の表示を終了する。所定の設定時間が経過する前に新たな検索要求を受けた場合は、経過時間の計測をやり直す。
【００８０】
図５は、本発明の実施の形態における制御部１１を機能別に示すブロック図である。図５では、制御部１１の持つ機能として、受信した検索要求の返答となる検索応答を作成する検索要求処理部７３、ハードディスク装置１５内において自装置の識別情報が保存されている保存場所情報を記憶する識別情報管理部７４、識別情報の表示に係る制御を行う識別情報表示制御部７６がある。
【００８１】
識別情報表示制御部７６は、ネットワーク通信部２０が検索要求を受けた場合に、識別情報の表示を開始させたり、該表示を開始してからの経過時間を計測して、所定の設定時間が経過した場合に識別情報の表示を終了させたりする。
【００８２】
図６は、検索要求を受けた画像形成装置１０が行う処理を示すフローチャートである。画像形成装置１０は、制御部１１が備えるＣＰＵが、ＲＯＭ又は記憶部１３に記憶されたプログラムを実行することにより、図６のフローチャートに示す処理を実現する。
まず、画像形成装置１０は検索要求を受信したら、該検索要求の送信元である携帯端末４０に対して検索応答を返信する（ステップＳ１０１）。
【００８３】
自装置にて識別情報を表示中でなければ（ステップＳ１０２；Ｎｏ）、識別情報の表示を開始するとともに（ステップＳ１０３）、識別情報の表示時間の計測を開始し（ステップＳ１０４）、ステップＳ１０６に進む。
【００８４】
識別情報の表示中であれば(ステップＳ１０２;Ｙｅｓ)、これまでの表示時間の計測をリセットして、表示開始からの経過時間の計時をやり直して（ステップＳ１０５）、ステップＳ１０６へ進む。このケースは、識別情報の表示中に新たな検索要求を受けた場合であり、前回の検索要求に係る処理は中止し破棄される。
【００８５】
ステップＳ１０６では、表示時間の計測値が設定時間を経過するまで待ち（ステップＳ１０６；Ｎｏ）、設定時間を経過したら（ステップＳ１０６；Ｙｅｓ）、識別情報の表示を終了し（ステップＳ１０７）、本処理を終了する。
【００８６】
このように本発明の実施の形態に係る画像形成装置１０では、携帯端末４０から検索要求を受けた場合に、自装置にて携帯端末４０と通信を確立する為の識別情報を表示する。これにより、ユーザは、各画像形成装置１０の識別情報を把握することができる。また、画像形成装置１０の表示部３１に表示された識別情報と携帯端末４０の表示部５１に表示された識別情報を見比べることで、携帯端末４０の表示部５１に一覧表示された各識別情報が、実物のどの画像形成装置１０に対応しているかを容易に識別することができる。
【００８７】
なお、前述の実施例においては、識別情報の表示時間が設定時間を経過するのを待って、識別情報の表示を終了させるように制御したが、その制御と併せて、またはその制御に代えて、自装置の識別情報と共に識別情報の表示を終了させるためのキーを表示部３１に表示し、そのキーに対する操作を受け付けたときに識別情報の表示を終了させるようにしてもよい。また、識別情報を表示部３１に表示させている状態で、検索要求の送信元である携帯端末４０との通信が確立したこと、または検索要求の送信元である携帯端末４０からジョブを受信したことを受けて、識別情報の表示を終了させるようにしてもよい。
【００８８】
以下、本発明の実施の形態における３つの変形例について説明する。
【００８９】
＜変形例１＞
変形例１では、画像形成装置１０は、受信した検索要求の送信元が所定の条件を満たしているか否かに応じて、自装置の表示部３１に表示する識別情報の表示形態を変更する。
【００９０】
変形例１では、所定の条件を、検索要求の送信元が特定のアクセスポイントに接続されていることとする。図７では、変形例１において、携帯端末４０が検索要求を送信した場合に各画像形成装置１０と携帯端末４０に表示される画面の一例を示す。
【００９１】
図７では、画像形成装置１０Ａ、１０Ｂ、アクセスポイント９０ＡはフロアＡに、画像形成装置１０Ｃ、アクセスポイント９０ＢはフロアＢに配置されている。
【００９２】
図７では、各画像形成装置１０は、自装置と同じエリアに設置されているアクセスポイントを特定のアクセスポイントとする、すなわち、画像形成装置１０Ａ、１０Ｂはアクセスポイント９０Ａを所定の条件における特定のアクセスポイントとし、画像形成装置１０Ｃはアクセスポイント９０Ｂを所定の条件における特定のアクセスポイントとする。
【００９３】
図７では、携帯端末４０はアクセスポイント９０Ｂを介してＬＡＮ３に接続されている。よって、携帯端末４０は、画像形成装置１０Ｃにおける所定の条件を満たすが、画像形成装置１０Ａ、１０Ｂにおける所定の条件は満たしていない。図７では、検索要求の送信元が所定の条件を満たす画像形成装置１０Ｃは表示部３１に自装置の識別情報を表示し、検索要求の送信元が所定の条件を満たしていない画像形成装置１０Ａ、１０Ｂは識別情報を表示しない。
【００９４】
なお、図７では全ての画像形成装置１０（１０Ａ、１０Ｂ、１０Ｃ）が検索応答を返答しており、携帯端末４０には、それらの識別情報が表示されているものとする。
【００９５】
このように、画像形成装置１０から遠いアクセスポイントを介してＬＡＮ３に接続した携帯端末４０から検索要求を受けた場合、該画像形成装置１０は、ユーザから離れており使用されない可能性が高いので、識別情報の表示を行わない。無駄な識別情報の表示を行わないことで電力の消費を抑えることができる。また、検索要求を行ったユーザに使用されない画像形成装置１０にまで識別情報の表示を行うと、その画像形成装置１０を使おうとしている他のユーザの操作を阻害するおそれがあるところ、無駄な識別情報の表示を行わないことで、他のユーザの操作を阻害するおそれを抑えることもできる。
【００９６】
図８は、変形例１の実施の形態における制御部１１を機能別に示すブロック図である。変形例１では制御部１１は、図５で説明した機能の他に、受信した検索要求の送信元の装置が接続しているアクセスポイントを特定する検索元特定部７７と、特定のアクセスポイント（複数登録してもよい）のＩＰアドレスを登録しておく検索元情報保持部７８をさらに備えている。
【００９７】
検索元情報保持部７８には、ユーザの操作等により、所定の条件における特定のアクセスポイントのＩＰアドレスが登録される。検索元特定部７７は、受信した情報を解析して、検索要求の送信元の携帯端末４０が接続されているアクセスポイントのＩＰアドレスを取得する。識別情報表示制御部７６は、検索元特定部７７が取得したＩＰアドレスと、検索元情報保持部７８に登録されている特定のアクセスポイントのＩＰアドレスを照合し、いずれかと一致した場合に自装置の識別情報を表示部３１に表示させる。
【００９８】
図９は、変形例１において、検索要求を受けた画像形成装置１０が行うフローチャートである。画像形成装置１０は、制御部１１が備えるＣＰＵが、ＲＯＭ又は記憶部１３に記憶されたプログラムを実行することにより、図９のフローチャートに示す処理を実現する。まず、画像形成装置１０は検索要求を受信したら、該検索要求の送信元である携帯端末４０に対して検索応答を返信する（ステップＳ２０１）。
【００９９】
次に、検索要求の送信元を特定し、その特定した送信元が接続しているアクセスポイントの情報（ＩＰアドレス）を取得する（ステップＳ２０２）。ステップＳ２０２にて取得したアクセスポイントが、検索元情報保持部７８に登録されているいずれのアクセスポイント（ＩＰアドレス）とも一致しなければ（ステップＳ２０３；Ｎｏ）、本処理を終了する。
【０１００】
ステップＳ２０２にて取得したアクセスポイントが、検索元情報保持部７８に登録されているいずれかのアクセスポイント（ＩＰアドレス）と一致する場合は（ステップＳ２０３；Ｙｅｓ）、自装置にて識別情報を表示中か否かを調べる（ステップＳ２０４）。
【０１０１】
自装置にて識別情報を表示中でなければ（ステップＳ２０４；Ｎｏ）、識別情報の表示を開始するとともに（ステップＳ２０５）、識別情報の表示時間の計測を開始し（ステップＳ２０６）、ステップＳ２０８に進む。
【０１０２】
識別情報の表示中であれば(ステップＳ２０４;Ｙｅｓ)、これまでの表示時間の計測をリセットして、表示開始からの経過時間の計時をやり直して（ステップＳ２０７）、ステップＳ２０８へ進む。このケースは、識別情報の表示中に新たな検索要求を受けた場合であり、前回の検索要求に係る処理は中止し破棄される。
【０１０３】
ステップＳ２０８では、表示時間の計測値が設定時間を経過するまで待ち（ステップＳ２０８；Ｎｏ）、設定時間を経過したら（ステップＳ２０８；Ｙｅｓ）、識別情報の表示を終了し（ステップＳ２０９）、本処理を終了する。
【０１０４】
変形例１では、画像形成装置１０に予め登録されているアクセスポイントを、所定の条件における特定のアクセスポイントとしたが、画像形成装置１０がアクセスポイント経由でネットワークに接続している場合は、自装置が接続しているアクセスポイントを自動的に特定のアクセスポイントとするようにしてもよい。
【０１０５】
変形例１では、検索要求の送信元が特定のアクセスポイントに接続していることを所定の条件としたが、所定の条件はこれに限らない。たとえば、検索要求の送信元が、特定のユーザが使用中の携帯端末４０であることなど、他の条件であってもよい。
【０１０６】
変形例１では、所定の条件を満たす場合および満たさない場合の表示形態として、識別情報の通常表示、および識別情報の非表示が採用されていたが、識別情報の表示形態の変更の仕方はこれに限らない。たとえば、特定の装飾を付した表示や、グレー表示などを採用してもよい。
【０１０７】
＜変形例２＞
変形例２では、画像形成装置１０は、検索要求を受ける前の所定時間内に、操作パネル３０にて操作を受けているか否かに応じて、自装置が表示する識別情報の表示形態を変更する。
【０１０８】
図１０は、変形例２において、携帯端末４０が検索要求を送信した場合に各画像形成装置１０と携帯端末４０が表示する画面の一例を示す。
【０１０９】
図１０では、画像形成装置１０Ａ、１０Ｂは検索要求を受ける前の所定時間内に使用されておらず、画像形成装置１０Ｃは検索要求を受けた際に、他のユーザによって使用されている。この場合、画像形成装置１０Ａ、１０Ｂは、所定時間内に操作を受けていないので表示部３１に識別情報を表示し、使用中の（所定時間内に操作を受けている）画像形成装置１０Ｃは自装置の識別情報を表示していない。なお、図１０では全ての画像形成装置１０（１０Ａ、１０Ｂ、１０Ｃ）が検索応答を返答しており、携帯端末４０には、それらの識別情報が表示されている。
【０１１０】
検索要求を受ける前の所定時間内に、操作を受けている画像形成装置１０Ｃは、携帯端末４０を所持しているユーザ以外の他のユーザにより使用されている可能性が高いので、識別情報を表示しないことで、他のユーザによる操作を阻害しない。なお、検索要求を受けたが自装置の識別情報を非表示にしている旨を、表示部３１に表示するなどして、自装置を使用中のユーザに通知してもよい。
【０１１１】
図１１は、変形例２の実施の形態における制御部１１を機能別に示すブロック図である。変形例２では、制御部１１は、図５で説明した機能の他に、検索要求を受ける前の所定時間内に、操作パネル３０にて操作を受けているか否かを判断する操作状況判定部８０をさらに備えている。
【０１１２】
操作状況判定部８０は、操作パネル３０にて操作を受けたら、経過時間を計測する。計測中に新たな操作を受けた場合は、計測をやり直す。また、操作状況判定部８０は、ネットワーク通信部２０が検索要求を受けた際に、計測した経過時間が所定時間以内であれば自装置は使用中であると、計測した経過時間が所定時間を越えていれば自装置は使用されていないと判定し、その判定結果を識別情報表示制御部７６に通知する。そして、識別情報表示制御部７６は、該判定結果が「使用中」の場合は識別情報を表示させない。なお、操作状況判定部８０による経過時間の計測は、所定時間を越えた時点で止めてもよい。所定時間は、５秒や１０秒など予めユーザにより設定されているものとする。ユーザによる操作が継続中か否かを判定可能な時間であることが望ましい。
【０１１３】
図１２は、変形例２において、検索要求を受けた画像形成装置１０が行うフローチャートである。画像形成装置１０は、制御部１１が備えるＣＰＵが、ＲＯＭ又は記憶部１３に記憶されたプログラムを実行することにより、図１２のフローチャートに示す処理を実現する。まず、画像形成装置１０は検索要求を受信したら、該検索要求の送信元である携帯端末４０に対して検索応答を返信する（ステップＳ３０１）。
【０１１４】
次に、自装置の操作状況（使用中か否か）に係る情報を取得し（ステップＳ３０２）、所定時間内に操作を受けたか否かを判定する（ステップＳ３０３）。所定時間内に操作を受けていると判定した場合は（ステップＳ３０３；Ｙｅｓ）、本処理を終了する。
【０１１５】
所定時間内に操作を受けていないと判定した場合は（ステップＳ３０３；Ｎｏ）、自装置にて識別情報を表示中でなければ（ステップＳ３０４；Ｎｏ）、識別情報の表示を開始するとともに（ステップＳ３０５）、識別情報の表示時間の計測を開始し（ステップＳ３０６）、ステップＳ３０８に進む。
【０１１６】
識別情報の表示中であれば(ステップＳ３０４;Ｙｅｓ)、これまでの表示時間の計測をリセットして、表示開始からの経過時間の計時をやり直して（ステップＳ３０７）、ステップＳ３０８へ進む。このケースは、識別情報の表示中に新たな検索要求を受けた場合であり、前回の検索要求に係る処理は中止し破棄される。
【０１１７】
ステップＳ３０８では、表示時間の計測値が設定時間を経過するまで待ち（ステップＳ３０８；Ｎｏ）、設定時間を経過したら（ステップＳ３０８；Ｙｅｓ）、識別情報の表示を終了し（ステップＳ３０９）、本処理を終了する。
【０１１８】
このように、変形例２では、画像形成装置１０は、検索要求を受ける所定時間前に操作パネル３０にて操作を受けていた場合は、識別情報の表示を行わない。これにより、該画像形成装置１０を使用しているユーザの操作を阻害しない。
【０１１９】
変形例２では、識別情報の表示形態として、識別情報の通常表示、および識別情報の非表示が採用されていたが、識別情報の表示形態の変更の仕方はこれに限らない。たとえば、所定時間内に操作を受けている場合に識別情報を縮小表示したり、識別情報を画面の端に目立たないように表示したりするように表示形態を変更してもよい。検索要求を受ける所定時間前に操作パネル３０にて操作を受けている場合は、画像形成装置１０を使用中のユーザの操作を妨げないような表示形態で識別情報を表示することが望ましい。
【０１２０】
＜変形例３＞
変形例３では、画像形成装置１０は、ＭＦＰ機能部１２の機能が制限された状態にあるか否かに応じて、識別情報の表示形態を変更する。
【０１２１】
図１３は、変形例３において、携帯端末４０が検索要求を送信した場合に各画像形成装置１０と携帯端末４０が表示する画面の一例を示す。
【０１２２】
図１３では、画像形成装置１０Ａ、１０Ｂは、ＭＦＰ機能部１２の機能が制限されていない状態であり、画像形成装置１０Ｃはトナー不足によってプリンタ部１８が機能の制限された状態である。画像形成装置１０Ａ、１０Ｂは、表示部３１に識別情報を表示し、画像形成装置１０Ｃは識別情報を表示しない。
【０１２３】
図１３では、全ての画像形成装置１０（１０Ａ、１０Ｂ、１０Ｃ）が検索応答を返答しており、携帯端末４０は、それらの識別情報を表示している。なお、図１３では、前述の識別情報とともに、画像形成装置１０Ｃはトナー切れの状態であることが表示されている。
【０１２４】
ＭＦＰ機能部１２の機能が制限された状態の画像形成装置１０は、携帯端末４０と通信を確立しても、その機能を実行することができないので、通信を確立する画像形成装置１０としてユーザから選択される可能性が低い。よって、変形例３では、ＭＦＰ機能部１２の機能が制限された状態の画像形成装置１０においては識別情報を表示しない。これにより、無駄な識別表示を行わないことで電力の消費を抑えることができる。複合機においては、携帯端末４０からジョブを依頼可能なすべての機能が制限された場合に、識別情報を非表示にすることが望ましい。
【０１２５】
なお、変形例３では、ＭＦＰ機能部１２の制限された状態の該画像形成装置１０は、検索応答に、ＭＦＰ機能部１２の制限された状態であることを示す情報を含ませる。携帯端末４０は受信した検索応答に該情報が含まれている場合は、識別情報とともに、該識別情報に対応する画像形成装置１０はＭＦＰ機能部１２の機能が制限された状態であることを表示する。これにより、ユーザは、携帯端末４０に表示された識別情報に対応する各画像形形成装置１０が、ＭＦＰ機能部１２の機能が制限された状態であるか否かを携帯端末４０に表示された一覧上で一度に確認することができる。
【０１２６】
図１４は、変形例３の実施の形態における制御部１１を機能別に示すブロック図である。変形例３では、制御部１１は、図５で説明した機能の他に、ＭＦＰ機能部１２の制限された状態であるか否かを判断する機能制限状態管理部８１をさらに備えている。
【０１２７】
機能制限状態管理部８１は、画像データ処理部１６や画像読取部１７、プリンタ部１８にて正常な動作が可能か否かを監視し、検索要求を受けた際には画像データ処理部１６や画像読取部１７、プリンタ部１８が機能の制限された状態であるか否かを判断し、その判断結果を識別情報表示制御部７６と検索要求処理部７３に通知する。機能制限状態管理部８１は、たとえば、トナー切れや用紙切れなどによって印刷が不可能である場合に、プリンタ部１８の機能が制限されていると判断したり、スキャナメカ不良によりスキャンが不可能である場合に画像読取部１７は機能が制限されていると判断したりする。
【０１２８】
識別情報表示制御部７６は通知された該判断結果から識別情報の表示を行うか否かを判断する。検索要求処理部７３は、検索要求を受けた際にＭＦＰ機能部１２の機能が制限された状態である場合は、その状態であることを示す情報を検索応答に含ませる。
【０１２９】
図１５は、変形例３において、検索要求を受けた画像形成装置１０が行うフローチャートである。画像形成装置１０は、制御部１１が備えるＣＰＵが、ＲＯＭ又は記憶部１３に記憶されたプログラムを実行することにより、図１５のフローチャートに示す処理を実現する。まず、画像形成装置１０は検索要求を受信したら、該検索要求の送信元である携帯端末４０に対して検索応答を返信する（ステップＳ４０１）。
【０１３０】
次に、ＭＦＰ機能部１２の機能が制限されているか否かに係る情報を取得し（ステップＳ４０２）、ＭＦＰ機能部１２の機能が制限されているか否かを判断する（ステップＳ４０３）。ＭＦＰ機能部１２の機能が制限されていない場合は（ステップＳ４０３；Ｎｏ）、自装置にて識別情報が表示中か否かを調べる（ステップＳ４０６）。
【０１３１】
識別情報の表示中でなければ（ステップＳ４０６；Ｎｏ）、識別情報の表示を開始するとともに（ステップＳ４０７）、識別情報の表示時間の計測を開始し（ステップＳ４０８）、ステップＳ４１０に進む。
【０１３２】
識別情報の表示中であれば(ステップＳ４０６;Ｙｅｓ)、これまでの表示時間の計測をリセットして、表示開始からの経過時間の計時をやり直して（ステップＳ４０９）、ステップＳ４１０へ進む。このケースは、識別情報の表示中に新たな検索要求を受けた場合であり、前回の検索要求に係る処理は中止し破棄される。
【０１３３】
ステップＳ４１０では、表示時間の計測値が設定時間を経過するまで待ち（ステップＳ４１０；Ｎｏ）、設定時間を経過したら（ステップＳ４１０；Ｙｅｓ）、識別情報の表示を終了し（ステップＳ４１１）、本処理を終了する。
【０１３４】
ＭＦＰ機能部１２の機能が制限されている場合は（ステップＳ４０３；Ｙｅｓ）、検索応答にＭＦＰ機能部１２が制限されていることを示す情報を含ませ、携帯端末４０に送信する（ステップＳ４０４）。
【０１３５】
その後、自装置にて識別情報を表示中でなければ（ステップＳ４０５；Ｎｏ）、本処理を終了する。表示中ならば(ステップＳ４０５;Ｙｅｓ)、識別情報の表示を強制終了させて（ステップＳ４１１）、本処理を終了する。
【０１３６】
変形例３では、識別情報の表示形態として、識別情報の通常表示、および識別情報の非表示が採用されていたが、識別情報の表示形態の変更の仕方はこれに限らない。たとえば、ＭＦＰ機能部１２の機能が制限されている場合に、識別情報の表示に加えてその制限内容を表示する表示形態を採用してもよい。
【０１３７】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１３８】
本発明の実施の形態では、携帯端末４０と画像形成装置１０間にて、検索要求と検索応答が直接送受信されていたが、サーバなどの他の外部装置を設け、該サーバを経由して該送受信を行うようにしてもよい。
【０１３９】
本発明の実施の形態では、印刷システム７における画像形成装置１０を画像処理装置の例として説明したが、画像処理装置はこれに限らない。画像形成装置１０から制御部１１と、不揮発メモリ１４と、ネットワーク通信部２０と、画像データ処理部１６を抜き出して構成される画像処理装置であってもよい。すなわち、本発明の画像処理装置は、画像形成装置１０のようなＭＦＰに限らず、単体のプリンタなどであってもよい。また、本発明は、前述の画像処理装置や、情報処理装置を実施の形態の画像形成装置１０のように動作させるプログラムであってもよい。
【０１４０】
また、画像処理装置に対して、実施の形態での画像形成装置１０のように動作するよう指示するサーバを制御するプログラムも本発明とする。図１６は、該プログラムが動作を制御する制御サーバ１００を加えた場合の印刷システム７を示す。該プログラムにより、制御サーバ１００は以下のように動作する。
【０１４１】
制御サーバ１００は、携帯端末４０から検索要求を受けた場合に、画像形成装置１０のそれぞれについて、当該画像形成装置１０と携帯端末４０との通信を確立する操作のために使用される該画像形成装置１０の識別情報を、該画像形成装置１０の表示部３１に表示させる表示指示を送信する。該表示指示には、該表示指示を受信した画像形成装置１０が表示する識別情報、および、該画像形成装置１０が機能の制限された状態にある場合にはその制限状態を示す機能制限情報を含む検索応答を制御サーバ１００に返送する指示が含まれる。該表示指示を受信した画像形成装置１０は、自装置の識別情報を自装置の表示部３１に表示すると共に、該識別情報及び機能制限情報を含む検索応答を制御サーバ１００に送信する。
【０１４２】
また、携帯端末４０から検索要求（または検索要求の送信指示）を受信した制御サーバ１００は、画像形成装置１０から検索応答を取得し、該検索応答に含まれる識別情報、機能制限情報を携帯端末４０に送信する。携帯端末４０で表示する識別情報のリスト（画面）は、制御サーバ１００で作成してから携帯端末４０に送信してもよいし、制御サーバ１００は識別情報のみを送信し、携帯端末４０側で識別情報のリスト（画面）を作成するようにしてもよい。リストを制御サーバ１００で作成する場合は、機能制限情報は携帯端末４０に送信する必要はなく、機能制限情報に応じて識別情報の表示形態を変更したリストを作成して携帯端末４０に提供すればよい。一方、リストを携帯端末４０が作成する場合は、制御サーバ１００から識別情報と共に機能制限情報を携帯端末４０に送信し、これを受信した携帯端末４０は、機能制限情報に応じて識別情報の表示形態を変更したリストを作成して表示する。
【０１４３】
制御サーバ１００は、画像形成装置１０に識別情報を表示させた場合、実施の形態での画像形成装置１０のように表示時間の計時を行い、所定の設定時間の経過後にその識別情報の表示を終了させる。識別情報の表示中に制御サーバ１００が新たな検索要求を受信した場合は、設定時間の計時をやり直す。
【０１４４】
制御サーバ１００は、検索要求の送信元が所定の条件を満たしているか否かに応じて、画像形成装置１０が表示する識別情報の表示形態を変更させる。所定の条件は、検索要求の送信元が無線ＬＡＮの特定のアクセスポイントに接続されていることなどとする。
【０１４５】
また、制御サーバ１００が、検索要求を受ける前の所定時間内に画像形成装置１０の操作パネル３０にて操作を受けているか否かに応じて、画像形成装置１０が表示する識別情報の表示形態を変更させるようにしてもよい。
【０１４６】
制御サーバ１００が、画像形成装置のＭＦＰ機能部１２が機能の制限された状態にあるか否かに応じて、該画像形成装置１０が表示する識別情報の表示形態を変更させるようにしてもよい。
【０１４７】
このように、携帯端末４０から検索要求を受けた制御サーバ１００が、画像形成装置１０の代わりに、該画像形成装置１０における識別情報の表示を制御することで、ユーザは、各画像形成装置１０の識別情報を把握することができる。また、該識別情報を使用して、携帯端末４０と画像形成装置１０との間の通信を確立させることができる。
【０１４８】
本発明の実施の形態では、検索応答を受けて携帯端末４０が表示した識別情報（装置名）の一覧から、ユーザが選択した識別情報の画像形成装置１０と通信を確立するものとしていたが、検索要求を受けた場合に画像形成装置１０が表示部３１に自装置のＩＰアドレスを表示し、ユーザがこれを参照して、携帯端末４０にて手入力で通信先を設定するようにしてもよい。
【０１４９】
本発明の変形例３では、ＭＦＰ機能部１２の機能が制限されている場合のみ、識別情報を表示せず、その制限内容を検索応答に含ませていたが、機能制限以外にも、自装置の状態が所定の条件を満たす場合に識別情報を表示しないようにしてもよい。たとえば、実行待ちのジョブを複数保持していることを所定の条件とし、該条件を満たす場合に、その旨を検索応答に含ませるとともに、識別情報を表示しなくてもよい。
【０１５０】
変形例１〜３を組み合わせてもよい。たとえば、変形例２、３を組み合わせると、画像形成装置１０は、検索要求を受ける所定時間前に操作を受けていた場合、およびＭＦＰ機能部１２の機能が制限されている場合は識別情報の表示を行わない。
【０１５１】
本発明の実施の形態では、携帯端末４０は、識別情報を表示部３１に表示していない画像形成装置１０の識別情報も表示部５１に表示していたが、識別情報を表示部３１に表示していない画像形成装置１０の識別情報のみ、非表示にしたり、他の表示形態で表示したりしてもよい。識別情報を表示部３１に表示しない理由（使用中のユーザがいる、機能が制限されているなど）を併せて表示してもよい。
【０１５２】
ネットワークはＬＡＮ等に限定されない。たとえば、Bluetoothのような近距離無線通信においてその通信範囲内を本発明のネットワークとしてもよい。すなわち、携帯端末４０は、通信可能範囲にある対応機器（画像形成装置１０）を検索するための検索要求をブロードキャストし、これを受信した画像形成装置１０は送信元に対して検索応答を返送しかつ自装置の表示部３１に識別情報を表示する、といった構成も本発明に含まれる。
【符号の説明】
【０１５３】
３…ＬＡＮ
７…印刷システム
１０（１０Ａ、１０Ｂ、１０Ｃ）…画像形成装置
１１…制御部
１２…ＭＦＰ機能部
１３…記憶部
１４…不揮発メモリ
１５…ハードディスク装置
１６…画像データ処理部
１７…画像読取部
１８…プリンタ部
１９…ファクシミリ通信部
２０…ネットワーク通信部
３０…操作パネル
３１…表示部
３２…操作受付部
３３…スイッチ部
３４…タッチパネル部
４０…携帯端末
４１…ＣＰＵ
４２…ＲＯＭ
４３…ＲＡＭ
４４…不揮発メモリ
４５…ハードディスク装置
４６…ネットワーク通信部
４７…傾きセンサ
５０…操作表示部
５１…表示部
５２…操作部
５３…スイッチ部
５４…タッチパネル部
７３…検索要求処理部
７４…識別情報管理部
７６…識別情報表示制御部
７７…検索元特定部
７８…検索元情報保持部
８０…操作状況判定部
８１…機能制限状態管理部
９０Ａ…アクセスポイント
９０Ｂ…アクセスポイント
１００…制御サーバ
【図１】
0006492589.tif 000002
【図２】
0006492589.tif 000003
【図３】
0006492589.tif 000004
【図４】
0006492589.tif 000005
【図５】
0006492589.tif 000006
【図６】
0006492589.tif 000007
【図７】
0006492589.tif 000008
【図８】
0006492589.tif 000009
【図９】
0006492589.tif 000010
【図１０】
0006492589.tif 000011
【図１１】
0006492589.tif 000012
【図１２】
0006492589.tif 000013
【図１３】
0006492589.tif 000014
【図１４】
0006492589.tif 000015
【図１５】
0006492589.tif 000016
【図１６】
0006492589.tif 000017